(57)【要約】【課題】電子機器本体側の電源ボタンによるシャットダウンの誤操作を防止することができる電子機器を実現することにある。【解決手段】ネットワーク経由でログインされ、シャットダウン処理部が電子機器に設けられる電源ボタンの押下によってシャットダウンを行なう電子機器に改良を加えたものである。本機器は、ネットワーク経由でのログインの有無を管理するログイン管理部と、このログイン管理部でログイン無しとされた場合、電源ボタンの押下がＭ秒経過後にシャットダウン処理部にシャットダウンを指示し、ログイン管理部でログイン有りとされた場合、電源ボタンの押下がＮ（Ｍ＜Ｎ）秒経過後にシャットダウン処理部にシャットダウンを指示する条件選択部とを設けたことを特徴とするものである。【選択図】図１
2009064206.tif 000002
【特許請求の範囲】
【請求項１】
ネットワーク経由でログインされ、シャットダウン処理部が電子機器に設けられる電源ボタンの押下によってシャットダウンを行なう電子機器において、
前記ネットワーク経由でのログインの有無を管理するログイン管理部と、
このログイン管理部でログイン無しとされた場合、前記電源ボタンの押下がＭ秒経過後に前記シャットダウン処理部にシャットダウンを指示し、前記ログイン管理部でログイン有りとされた場合、前記電源ボタンの押下がＮ（Ｍ＜Ｎ）秒経過後に前記シャットダウン処理部にシャットダウンを指示する条件選択部と
を設けたことを特徴とする電子機器。
【請求項２】
警告音を出力する警告音出力部を設け、
条件選択部は、前記ログイン管理部でログイン有りとされた場合であって前記電源ボタンの押下がＭ秒経過後に前記警告音出力部に警告音を出力させることを特徴とする請求項１記載の電子機器。
【請求項３】
バックグランドで実行しているタスクの有無を管理するシステム管理部を設け、
条件選択部は、前記システム管理部でタスク無しとされた場合、前記電源ボタンの押下がＭ秒経過後に前記シャットダウン処理部にシャットダウンを指示し、前記システム管理部でタスク有りとされた場合、前記電源ボタンの押下がＮ（Ｍ＜Ｎ）秒経過後に前記シャットダウン処理部にシャットダウンを指示することを特徴とする請求項１または２記載の電子機器。
【請求項４】
前記電源ボタンの押下された時間を検知し、検知結果を前記条件選択部に出力するボタン監視部を設けたことを特徴とする請求項１〜３のいずれかに記載の電子機器。
【発明の詳細な説明】
【技術分野】
【０００１】
本発明は、ネットワーク経由でリモートユーザが端末からログインでき、シャットダウン処理部が電子機器本体の筐体や電子機器本体側のキーボード等に設けられる電源ボタンの押下によって電子機器のシャットダウンを行なう電子機器に関し、詳しくは、電子機器本体側の電源ボタンによるシャットダウンの誤操作を防止することができる電子機器に関するものである。
【背景技術】
【０００２】
近年、電子計算機や情報処理装置等の電子機器は、ＬＡＮ等のネットワークに接続される。そして電子機器のユーザは、電子機器の前で電子機器を直接操作しなくとも、ネットワーク経由で電子機器にリモートログインし、制御対象の電子機器とは物理的に離れた場所からネットワーク経由で電子機器を操作することができる。また、近年は、電子機器の一種である測定器もネットワークに接続され、ネットワーク経由で測定器を操作することもできる。
【０００３】
図７は、従来の電子機器の構成を示した図である（例えば、特許文献１参照）。
図７において、リモート回線１００は、ネットワークであり、電子機器１０、端末２０等が接続される。電子機器１０は、電源ボタン１１、ボタン監視部１２、シャットダウン処理部１３、ログイン管理部１４が設けられる。
【０００４】
電源ボタン１１は、電子機器１０本体の起動、シャットダウン等を行なうためのボタンであり、例えば、電子機器１０本体の筐体前面に設けられる。ボタン監視部１２は電源ボタン１１の状態（押下の状態、押下された場合の時間等）を監視する。シャットダウン処理部１３は、ボタン監視部１２からの指示により、電子機器１０のシャットダウンを行なう。ログイン管理部１４は、リモート回線１００経由で電子機器１０にログインするリモートユーザの管理をする。
【０００５】
端末２０は、リモートユーザが操作する端末であり、リモート回線１００経由で電子機器１０にログインする。
【０００６】
このような装置の動作を説明する。
まず、電子機器１０の電源ボタン１１がユーザによって押下され、これを検知したボタン監視部１０が電子機器１０の電源をオンし、電子機器１０を起動させる。
【０００７】
一方、電子機器１０の起動後、リモートユーザが端末２０を操作してリモート回線１００経由で電子機器１０のログイン管理部１４にＩＤ、パスワード等を送信する。そして、ログイン管理部１４が、ＩＤ、パスワードの正当性等を認証した後、端末２０のリモートユーザが電子機器１０へのログインが許可され所望の作業を行なう。また、ログイン管理部１４が、リモート回線１００経由でログインしているユーザがいる場合、電子機器１０の筐体に設けられたＬＥＤ（図示せず）を点灯させる。
【０００８】
電子機器１０をシャットダウンする場合、電子機器１０の前にいるユーザが、電子機器１０の電源ボタン１１をＭ秒間（例えば、２秒）長押しする。これによりボタン監視部１２が、電源ボタン１１のＭ秒間の長押し状態を検知し、シャットダウン処理部１３にシャットダウンの指示を出力する。そして、シャットダウン処理部１３が、電子機器１０の表示部（図示せず）にシャットダウン処理を開始する旨の表示を行なって、シャットダウン処理（例えば、バックグラウンドで実行中のシステム・サービスが、メモリ等に一時的にバッファリングしたデータをハードディスクに書き出す等）を行なって電子機器１０を正常にシャットダウンさせる。
【０００９】
【特許文献１】特開平７−３０５６５号公報
【発明の開示】
【発明が解決しようとする課題】
【００１０】
リモートユーザは、端末２０を操作してリモート回線１００経由で電子機器１０にリモートログインすることにより、電子機器１０と物理的に離れた場所であっても電子機器１０を制御することができる。
【００１１】
しかしながら、被制御対象の電子機器１０のシャットダウン処理部１３は、電源ボタン１１が所定の時間押下されることにより、ログイン管理部１４によって管理されるリモートログインの有無、さらにはリモートユーザの作業状況に関わらず強制的に電子機器１０をシャットダウンし、データや処理結果等を破壊、消去してしまう可能性が高いという問題があった。
【００１２】
また、リモートユーザがログインしている場合、電子機器１０本体側のＬＥＤの点灯によって、電源ボタン１１を押下するユーザにリモートログインしているリモートユーザの存在を通知することも可能である。
【００１３】
しかしながら、電子機器１０の表示部はユーザの見やすい場所に設置されるが、ＬＥＤが設けられる電子機器１０本体側はラックや床等に置かれることが多い。そのため、ＬＥＤの視認が困難な場合も多くユーザが、リモートユーザの存在に気付かずに電源ボタン１１によって強制的にシャットダウンしてしまう可能性が高いという問題があった。
【００１４】
そこで本発明の目的は、電子機器本体側の電源ボタンによるシャットダウンの誤操作を防止することができる電子機器を実現することにある。
【課題を解決するための手段】
【００１５】
請求項１記載の発明は、
ネットワーク経由でログインされ、シャットダウン処理部が電子機器に設けられる電源ボタンの押下によってシャットダウンを行なう電子機器において、
前記ネットワーク経由でのログインの有無を管理するログイン管理部と、
このログイン管理部でログイン無しとされた場合、前記電源ボタンの押下がＭ秒経過後に前記シャットダウン処理部にシャットダウンを指示し、前記ログイン管理部でログイン有りとされた場合、前記電源ボタンの押下がＮ（Ｍ＜Ｎ）秒経過後に前記シャットダウン処理部にシャットダウンを指示する条件選択部と
を設けたことを特徴とするものである。
請求項２記載の発明は、請求項１記載の発明において、
警告音を出力する警告音出力部を設け、
条件選択部は、前記ログイン管理部でログイン有りとされた場合であって前記電源ボタンの押下がＭ秒経過後に前記警告音出力部に警告音を出力させることを特徴とするものである。
請求項３記載の発明は、請求項１または２記載の発明において、
バックグランドで実行しているタスクの有無を管理するシステム管理部を設け、
条件選択部は、前記システム管理部でタスク無しとされた場合、前記電源ボタンの押下がＭ秒経過後に前記シャットダウン処理部にシャットダウンを指示し、前記システム管理部でタスク有りとされた場合、前記電源ボタンの押下がＮ（Ｍ＜Ｎ）秒経過後に前記シャットダウン処理部にシャットダウンを指示することを特徴とするものである。
請求項４記載の発明は、請求項１〜３のいずれかに記載の発明において、
前記電源ボタンの押下された時間を検知し、検知結果を前記条件選択部に出力するボタン監視部を設けたことを特徴とするものである。
【発明の効果】
【００１６】
本発明によれば以下の効果がある。
条件選択部が、ネットワーク経由でのログインの有る無しによって、シャットダウン処理部にシャットダウンを指示するための条件（電源ボタンの押下されている時間）を変更する。これにより、ネットワーク経由でのログインに気付かずに電源ボタンをユーザが押下したとしても、通常のＭ秒経過後でもシャットダウン処理が開始されないので、ネットワーク経由によるログインをユーザが認識することができ、電源ボタンの長押しを中断できる。従って、ネットワーク経由でログインされている場合に、電子機器本体側の電源ボタンでャットダウンするという誤操作を防止することができる。
【発明を実施するための最良の形態】
【００１７】
以下図面を用いて本発明の実施の形態を説明する。
［第１の実施例］
図１は、本発明の第１の実施例を示した構成図である。ここで、図７と同一のものには同一の符号を付し、説明を省略する。電子機器１０は、ボタン監視部１２の代わりにボタン監視部１５が設けられ、ログイン管理部１４の代わりにログイン管理部１６が設けられる。また、電子機器１０のボタン監視部１５とシャットダウン処理部１３の間に、条件選択部１７が設けられる。
【００１８】
なお、リモートユーザとは、端末２０を操作してリモート回線１００経由で電子機器１０にログインする者を指し、単にユーザとは、電子機器１０の電源ボタン１１を実際に押下する者を指すものとする。
【００１９】
ボタン監視部１５は、電源ボタン１１の押下された時間を検知し、検知結果を条件選択部１７に出力する。検知結果の電子機器１０の状態としては、電子機器１０が起動されていて電源ボタン１１がＭ秒以上押下された状態の検知、電子機器１０が起動されていて電源ボタン１１がＮ（Ｍ＜Ｎ）秒以上押下された状態の検知、電子機器１０が起動されていて電源ボタン１１が押されていないまたは押下時間がＭ秒以下の通常の使用状態の検知、電子機器１０の起動前で電源ボタン１１が押された状態の検知等である。
【００２０】
ログイン管理部１６は、リモート回線１００経由でのリモートユーザによる電子機器１０へのログインの有り、無しを管理し、リモートユーザのログインの存在の有無を条件選択部１７に出力する。
【００２１】
条件選択部１７は、第１の条件選択手段１７ａを有し、ログイン管理部１６で管理するリモートユーザによるリモートログインの有無およびボタン監視部１５の検知結果が入力され、リモートログインの有無によってシャットダウンさせる条件を選択する。
【００２２】
第１の条件選択手段１７ａは、条件選択部１７に入力されたリモートログインの有無およびボタン監視部１５の検知結果に基づいて、所定の条件を満たした場合、シャットダウン処理部１３に電子機器１０のシャットダウンを指示する。ここで所定の条件とは、リモートログインが無い場合は電源ボタン１１がＭ秒以上押下された場合であり、リモートログインが有る場合は電源ボタン１１がＮ秒以上押下された場合である。
【００２３】
このような装置の動作を説明する。
ここで、図２、図３は、図１に示す装置の動作の一例を示したシーケンス図である。図２は、電子機器１０にリモートユーザがログインしていない場合であり、図３は、電子機器１０にリモートユーザがログインしている場合である。
【００２４】
まず、電子機器１０の起動等の動作から説明する。
電子機器１０が起動していない状態で電源ボタン１１がユーザによって押下されると、このボタンの押下を検知したボタン監視部１５が電子機器１０の電源（図示せず）をオンし、電子機器１０を起動させる。また、電源ボタン１１がユーザによってＭ秒以上押下されるまで、通常の使用状態と判断して条件選択部１７には信号を出力しない。これによりＣＰＵ（図示せず）等が、ユーザ、リモートユーザ等の操作に従ってデータ処理等の通常の処理を行なう。
【００２５】
次に、電子機器１０へのリモートログイン等の動作を説明する。
リモートユーザが端末２０を操作してリモート回線１００経由で電子機器１０のログイン管理部１６にＩＤ、パスワード等を送信する。そして、ログイン管理部１６が、ＩＤ、パスワードの正当性等を認証した後、端末２０のリモートユーザの電子機器１０へのログインを許可する。
【００２６】
そして、リモートユーザが、端末２０、リモート回線１００を介して電子機器１０を制御して所望の作業を行なう。また、ログイン管理部１６が、リモート回線１００経由でログインしているリモートユーザがいる場合、条件選択部１７にリモートログインしているリモートユーザが存在する旨を出力すると共に、電子機器１０の筐体に設けられたＬＥＤ（図示せず）を点灯させる。そして、リモートユーザがログアウトしたら、条件選択部１７にリモートログインしているリモートユーザが存在しない旨を出力すると共に、電子機器１０の筐体に設けられたＬＥＤ（図示せず）を消灯させる。
【００２７】
次に、電子機器１０のシャットダウン等の動作を説明する。
リモートユーザがログインしていない場合のシャットダウンから説明する（図２参照）。電子機器１０をシャットダウンするため、電子機器１０の前にいるユーザが、電子機器１０の電源ボタン１１の押下を開始する（Ｓ１−１）。これにより、ボタン監視部１５が、電源ボタン１１の押下時間の計測を開始する。
【００２８】
そして、ユーザが電源ボタンを押し続け、Ｍ秒間（例えば、２秒間）長押しした場合、ボタン監視部１５が、電源ボタン１１がＭ秒間の長押しされた状態を検知し、条件選択部１７に検知結果（Ｍ秒間の長押し状態）を出力する（Ｓ１−２）。
【００２９】
そして、条件選択部１７の選択手段１７ａが、リモートユーザのログイン無しでかつ電源ボタン１１の押下がＭ秒経過後という条件を満たすとして、シャットダウン処理部１３にシャットダウンの開始を通知する（Ｓ１−３）。
【００３０】
これによりシャットダウン処理部１３が、電子機器１０の表示部（図示せず）にシャットダウン処理を開始する旨の表示を行なって、シャットダウン処理を行なって電子機器１０を正常にシャットダウンさせる（Ｓ１−４）。
【００３１】
続いてリモートユーザがログインしている場合のシャットダウンを説明する（図３参照）。電子機器１０をシャットダウンするため、電子機器１０の前にいるユーザが、電子機器１０の電源ボタン１１の押下を開始する（Ｓ２−１）。これにより、ボタン監視部１５が、電源ボタン１１の押下時間の計測を開始する。
【００３２】
そして、ユーザが電源ボタンを押し続け、Ｍ秒間長押しした場合、ボタン監視部１５が、電源ボタン１１がＭ秒間の長押しされた状態を検知し、条件選択部１７に検知結果（Ｍ秒間の長押し状態）を出力する（Ｓ２−２）。
【００３３】
しかし、条件選択部１７の選択手段１７ａは、リモートユーザのログイン有りだが、電源ボタン１１の押下時間が条件を満たさないので、シャットダウン処理部１３にシャットダウン開始の通知をしない。
【００３４】
さらに、ユーザが電源ボタン１１を押すのを中断せずに押し続け、Ｎ秒間（例えば、５秒間）長押しした場合、ボタン監視部１５が、電源ボタン１１がＮ秒間の長押しされた状態を検知し、条件選択部１７に検知結果（Ｎ秒間の長押し状態）を出力する（Ｓ２−３）。
【００３５】
そして、条件選択部１７の選択手段１７ａが、リモートユーザのログイン有りでかつ電源ボタン１１の押下がＮ秒経過後という条件を満たすとして、シャットダウン処理部１３にシャットダウンの開始を通知する（Ｓ２−４）。
【００３６】
これによりシャットダウン処理部１３が、電子機器１０の表示部（図示せず）にシャットダウン処理を開始する旨の表示を行なって、シャットダウン処理を行なって電子機器１０を正常にシャットダウンさせる（Ｓ２−５）。
【００３７】
このように、条件選択部１７が、リモート回線１００経由でのログインの有る無しによって、シャットダウン処理部１３にシャットダウンを指示するための条件（電源ボタン１１の押下されている時間）を変更する。これにより、電子機器１０にリモートユーザがログインしていない場合、電源ボタン１１のＭ秒の長押しで図７に示す装置と同様に条件選択部１７が、シャットダウンを指示し、一方、リモートユーザがログインしている場合、より長い時間（Ｎ秒間）電源ボタン１１が押下された後、条件選択部１７が、シャットダウンの指示をする。従って、ユーザが、リモートユーザのログインに気付かず（例えば、ＬＥＤの点灯に気付かず）に電源ボタン１１を押下したとしても、通常のＭ秒経過後でもシャットダウン処理が開始されないので、リモートユーザによるログインを認識することができ、電源ボタン１１の長押しを中断し、電子機器１０本体側の電源ボタン１１によるシャットダウンの誤操作を防止することができる。また、電子機器１０にリモートユーザがログインしている場合であってもＮ秒経過後に条件選択部１７がシャットダウンの指示するので、強制的にシャットダウン処理させることもできる。
【００３８】
［第２の実施例］
図４は、本発明の第２の実施例を示した構成図である。ここで、図１と同一のものには同一符号を付し、説明を省略する。図４において、条件選択部１７に第２の条件選択手段１７ｂが設けられる。また、ビープ（ＢＥＥＰ）音を出力するビープ音出力部１８が新たに設けられる。
【００３９】
第２の条件選択手段１７ｂは、条件選択部１７に入力されたリモートログインの有無およびボタン監視部１５の検知結果に基づいて、所定の条件を満たした場合、ビープ音出力部１８にビープ音の出力を指示する。ここで所定の条件とは、リモートログインが有る場合は、電源ボタン１１がＭ秒以上押下された場合である。そして、リモートログインが無い場合は電源ボタン１１の押下の状態に関わらずビープ音の出力は指示しない。
【００４０】
ビープ音出力部１８は、警告音出力部であり、条件選択部１７の第２の条件選択手段１７ｂからの指示によってビープ音（警告音）を出力する。
【００４１】
このような装置の動作を説明する。
ここで、図５は、図１に示す装置の動作の一例を示したシーケンス図であり、電子機器１０にリモートユーザがログインしている場合である。
【００４２】
電子機器１０の起動等の動作、電子機器１０へのリモートログイン等の動作、リモートユーザがログインしていない場合のシャットダウンの動作は図１に示す装置と同様なので説明を省略し、リモートユーザがログインしている場合のシャットダウンの動作を説明する（図５参照）。
【００４３】
電子機器１０をシャットダウンするため、電子機器１０の前にいるユーザが、電子機器１０の電源ボタン１１の押下を開始する（Ｓ３−１）。これにより、ボタン監視部１５が、電源ボタン１１の押下時間の計測を開始する。
【００４４】
そして、ユーザが電源ボタン１１を押し続け、Ｍ秒間長押しした場合、ボタン監視部１５が、電源ボタン１１がＭ秒間の長押しされた状態を検知し、条件選択部１７に検知結果（Ｍ秒間の長押し状態）を出力する（Ｓ３−２）。
【００４５】
しかし、条件選択部１７の選択手段１７ａは、リモートユーザのログイン有りだが、電源ボタン１１の押下時間が条件を満たさないので、シャットダウン処理部１３にシャットダウン開始の通知をしない。
【００４６】
一方、条件選択部１７の選択手段１７ｂが、リモートユーザのログイン有りでかつ電源ボタン１１の押下がＭ秒経過後という条件を満たすとして、ビープ音出力部１８にビープ音の出力を指示する（Ｓ３−３）。
【００４７】
これによりビープ音出力部１８が、ビープ音を出力し、電源ボタン１１を押下しているユーザにリモートユーザのログインの存在を警告する（Ｓ３−４）。
【００４８】
さらに、ユーザが電源ボタン１１を押すのを中断せずに押し続け、Ｎ秒間長押しした場合、ボタン監視部１５が、電源ボタン１１がＮ秒間の長押しされた状態を検知し、条件選択部１７に検知結果（Ｎ秒間の長押し状態）を出力する（Ｓ３−５）。
【００４９】
そして、条件選択部１７の選択手段１７ａが、リモートユーザのログイン有りでかつ電源ボタン１１の押下がＮ秒経過後という条件を満たすとして、シャットダウン処理部１３にシャットダウンの開始を通知する（Ｓ３−６）。
【００５０】
これによりシャットダウン処理部１３が、電子機器１０の表示部（図示せず）にシャットダウン処理を開始する旨の表示を行なって、シャットダウン処理を行なって電子機器１０を正常にシャットダウンさせる（Ｓ３−７）。
【００５１】
このように、リモートユーザによるログインが存在する場合は、条件選択部１７の第２の条件選択手段１７ｂが、電源ボタン１１の押下がＭ秒を経過したところでビープ音出力部１８にビープ音を出力させる。すなわち、ＬＥＤによる視覚的な通知のみだけでなく聴覚的な通知も行なうので、ユーザがリモートユーザのログインの存在を認識でき、電源ボタン１１の長押しを中断し、電子機器１０本体側の電源ボタン１１によるシャットダウンの誤操作を防止することができる。
【００５２】
［第３の実施例］
図６は、本発明の第３の実施例を示した構成図である。ここで、図１と同一のものには同一符号を付し、説明を省略する。図６において、システム管理部１９が新たに設けられる。システム管理部１９は、ユーザやリモートユーザによる電子機器１０の操作とは別にバックグランドで動作しているタスクの有無を管理し、タスクの有り無しの状態を条件選択部１７に出力する。
【００５３】
このような装置の動作を説明する。
シャットダウンを指示する場合、ログイン管理部１６からのリモートユーザのログインの有無だけでなく、システム管理部１６からのバックグランド動作の状態の有無によって、条件選択部１７のシャットダウン指示の条件を変える。
【００５４】
具体的には、条件選択部１７が、システム管理部１９でタスク無しとされた場合、電源ボタン１１の押下がＭ秒経過したところでシャットダウン処理部１３にシャットダウンを指示する。一方、システム管理部１９でタスク有りとされた場合、電源ボタン１１の押下がＮ秒経過したところでシャットダウン処理部１３にシャットダウンを指示する。その他の動作は図１に示す装置と同様なので説明を省略する。
【００５５】
このように、条件選択部１７が、ログイン管理部１６からのログインの有無だけでなく、システム管理部１９からの電子機器１０のシステム状態によってシャットダウンの条件（電源ボタン１１の押下時間Ｍ秒またはＮ秒）を選択する。これにより、タスク動作を中断させたくない場合は、シャットダウン処理部１３にシャットダウンを通知するための電源ボタンの押下時間をＮ秒と長くすることができ、重要なタスクを実行中にユーザが電子機器１０のシャットダウンを防げ、電子機器１０本体側の電源ボタン１１によるシャットダウンの誤操作を防止することができる。
【００５６】
なお、本発明はこれに限定されるものではなく、以下に示すようなものでもよい。
電源ボタン１１の押下時間の一例としてＭ秒＝２秒、Ｎ秒＝５秒とする構成を示したが、どのような時間としてもよく、要はユーザが、ログイン無しの状態であれば既にシャットダウン処理が開始されるはずの時間（Ｍ秒）を超えたと感じかつ押下することを中断することができる時間（Ｎ秒）であればよい。
【００５７】
図６に示すシステム管理部１９を図４に示す装置に設け、システム管理部１９でタスクありと判断した場合であって押下時間がＭ秒経過した後に、条件選択部１７が、ビープ音出力部１９にビープ音を出力させてもよい。
【００５８】
警告音出力部として、ビープ音出力部１８がビープ音を出力する構成を示したが、警告音はどのようなものでもよい。
【図面の簡単な説明】
【００５９】
【図１】本発明の第１の実施例を示した構成図である。
【図２】図１に示す装置の動作の一例を示したシーケンス図である。
【図３】図１に示す装置の動作のその他の例を示したシーケンス図である。
【図４】本発明の第２の実施例を示した構成図である。
【図５】図４に示す装置の動作の一例を示したシーケンス図である。
【図６】本発明の第３の実施例を示した構成図である。
【図７】従来の電子機器の構成を示した図である。
【符号の説明】
【００６０】
１１  電源ボタン
１５  ボタン監視部
１６  ログイン管理部
１７  条件選択部
１８  ビープ音出力部
１９  システム管理部
【図１】
2009064206.tif 000003
【図２】
2009064206.tif 000004
【図３】
2009064206.tif 000005
【図４】
2009064206.tif 000006
【図５】
2009064206.tif 000007
【図６】
2009064206.tif 000008
【図７】
2009064206.tif 000009